(57)【要約】【課題】シングルリモコン及びアドレスリモコンに対し共用可能としたリモコン受信機を備えた電動ブラインドの制御装置を提供する。【解決手段】リモコン受信機には、アドレスリモコンから出力されるアドレス信号と操作信号を受信する第一の受信動作と、シングルリモコンから出力される操作信号を受信する第二の受信動作とのいずれか一方の動作を選択する第一の切り替え手段９ａを備えた。【選択図】図３
2010174498.tif 000002
【特許請求の範囲】
【請求項１】
ブラインドを選択するアドレス信号と、前記アドレス信号で選択したブラインドのスラットを操作するための操作信号とを出力するアドレスリモコンと、
ブラインドを操作するための操作信号のみを出力するシングルリモコンと、
前記アドレスリモコンのアドレス信号と操作信号を受信して電動ブラインドのコントローラーに出力するリモコン受信機と、
前記シングルリモコンの操作信号を受信して電動ブラインドのコントローラーに出力するリモコン受信機と
を備えた電動ブラインドの制御装置において、
前記リモコン受信機には、
前記アドレスリモコンから出力されるアドレス信号と操作信号を受信して前記コントローラーに出力する第一の受信動作と、前記シングルリモコンから出力される操作信号を受信して前記コントローラーに出力する第二の受信動作とのいずれか一方の動作を選択する第一の切り替え手段を備えたことを特徴とする電動ブラインドの制御装置。
【請求項２】
前記第一の切り替え手段は、
ディップスイッチと、
前記ディップスイッチの出力信号に基づいて前記第一及び第二の受信動作を切り替える制御部と
を備えたことを特徴とする請求項１記載の電動ブラインドの制御装置。
【請求項３】
前記リモコン受信機には、一括して制御するブラインドのエリアを複数設定するエリア設定手段を備えたことを特徴とする請求項１又は２記載の電動ブラインドの制御装置。
【請求項４】
前記エリア設定手段は、
エリア番号を設定する第一のディップスイッチと、
前記各エリアの最小アドレスを設定する第二のディップスイッチと、
前記各エリアの最大アドレスを設定する第三のディップスイッチと、
前記各エリア番号と、各エリア番号に対応する最小アドレス及び最大アドレスを格納する記憶素子と
を備えたことを特徴とする請求項３記載の電動ブラインドの制御装置。
【請求項５】
前記エリア設定手段は、
前記第二の受信動作時に一括して制御するブラインドのエリアを前記第一〜第三のディップスイッチで設定することを特徴とする請求項４記載の電動ブラインドの制御装置。
【請求項６】
前記アドレスリモコンには、前記エリアを選択するエリア選択ボタンと、一括操作ボタンとを備え、
前記制御部は、前記一括操作ボタンの操作に基づいて動作させるブラインドの範囲を、第二の切り替え手段に基づいて、全アドレスのブラインドと、前記エリア内のブラインドとのいずれかを選択可能としたことを特徴とする請求項４記載の電動ブラインドの制御装置。
【請求項７】
前記制御部は、第三の切り替え手段に基づいて、中央制御装置の指令信号を受け付け可能としたオートモードと、前記中央制御装置の指令信号を受け付けないローカルモードとを選択して前記操作信号を前記コントローラーに出力可能としたことを特徴とする請求項４乃至６のいずれか１項に記載の電動ブラインドの制御装置。
【発明の詳細な説明】
【技術分野】
【０００１】
この発明は、リモコン装置の操作によりスラットを駆動する電動ブラインドの制御装置に関するものである。
【背景技術】
【０００２】
従来、ビルの複数のフロアにそれぞれ配設された多数の電動ブラインドをリモコン装置を使用して駆動する制御装置が実用化されている。このような制御装置では、多数の電動ブラインドを複数のエリアに分割し、アドレスリモコンによりいずれかのエリアを選択し、当該エリア内の複数の電動ブラインドを一括して制御可能となっている（特許文献１参照）。
【０００３】
また、エリアを選択する機能を省略して、一つのエリア内の電動ブラインドあるいは単独の電動ブラインドの動作を制御するシングルリモコンを備えた制御装置もある。
上記のようなアドレスリモコンを備えた制御装置では、送信機から出力されるアドレス信号（エリア選択信号）と操作信号を受信機で受信し、そのアドレス信号と操作信号に基づいて、選択されたエリア内の電動ブラインドのスラットが駆動される。
【０００４】
一方、シングルリモコンを備えた制御装置では、送信機からアドレス信号が出力されず、操作信号のみが出力される。そして、受信機で操作信号を受信し、その操作信号に基づいて電動ブラインドのスラットが駆動される。
【先行技術文献】
【特許文献】
【０００５】
【特許文献１】特許３２７３０２９号
【発明の概要】
【発明が解決しようとする課題】
【０００６】
アドレスリモコンの受信装置では、送信機から出力されるアドレス信号と操作信号を受信したとき、そのアドレス信号及び操作信号を制御装置に出力する。従って、シングルリモコンから出力されるアドレス信号のない操作信号を受信することはできないため、アドレスリモコンの受信機とシングルリモコンの受信機を共用することはできなかった。
【０００７】
また、アドレスリモコンでは選択可能なエリアが一つだけであっても、当該エリアの選択操作に続いてスラットを駆動するための操作ボタンを操作する必要があるため、その操作が煩雑であった。
【０００８】
この発明の目的は、シングルリモコン及びアドレスリモコンに対し共用可能としたリモコン受信機を備えた電動ブラインドの制御装置を提供することにある。
【課題を解決するための手段】
【０００９】
請求項１では、ブラインドを選択するアドレス信号と、前記アドレス信号で選択したブラインドを操作するための操作信号とを出力するアドレスリモコンと、ブラインドのスラットを操作するための操作信号のみを出力するシングルリモコンと、前記アドレスリモコンのアドレス信号と操作信号を受信して電動ブラインドのコントローラーに出力するリモコン受信機と、前記シングルリモコンの操作信号を受信して電動ブラインドのコントローラーに出力するリモコン受信機とを備えた電動ブラインドの制御装置において、前記リモコン受信機には、前記アドレスリモコンから出力されるアドレス信号と操作信号を受信して前記コントローラーに出力する第一の受信動作と、前記シングルリモコンから出力される操作信号を受信して前記コントローラーに出力する第二の受信動作とのいずれか一方の動作を選択する第一の切り替え手段を備えた。
【００１０】
請求項２では、前記第一の切り替え手段は、ディップスイッチと、前記ディップスイッチの出力信号に基づいて前記第一及び第二の受信動作を切り替える制御部とを備えた。
請求項３では、前記リモコン受信機には、一括して制御するブラインドのエリアを複数設定するエリア設定手段を備えた。
【００１１】
請求項４では、前記エリア設定手段は、エリア番号を設定する第一のディップスイッチと、前記各エリアの最小アドレスを設定する第二のディップスイッチと、前記各エリアの最大アドレスを設定する第三のディップスイッチと、前記各エリア番号と、各エリア番号に対応する最小アドレス及び最大アドレスを格納する記憶素子とを備えた。
【００１２】
請求項５では、前記エリア設定手段は、前記第二の受信動作時に一括して制御するブラインドのエリアを前記第一〜第三のディップスイッチで設定する。
請求項６では、前記アドレスリモコンには、前記エリアを選択するエリア選択ボタンと、一括操作ボタンとを備え、前記制御部は、前記一括操作ボタンの操作に基づいて動作させるブラインドの範囲を、第二の切り替え手段に基づいて、全アドレスのブラインドと、前記エリア内のブラインドとのいずれかを選択可能とした。
【００１３】
請求項７では、前記制御部は、第三の切り替え手段に基づいて、中央制御装置の指令信号を受け付け可能としたオートモードと、前記中央制御装置の指令信号を受け付けないローカルモードとを選択して前記操作信号を前記コントローラーに出力可能とした。
【発明の効果】
【００１４】
本発明によれば、シングルリモコン及びアドレスリモコンに対し共用可能としたリモコン受信機を備えた電動ブラインドの制御装置を提供することができる。
【図面の簡単な説明】
【００１５】
【図１】電動ブラインドの制御システムを示す説明図である。
【図２】リモコン受信機を示す正面図である。
【図３】リモコン受信機の電気的構成を示すブロック図である。
【図４】アドレスリモコンを示す正面図である。
【図５】シングルリモコンを示す正面図である。
【図６】リモコン受信機のエリア設定動作を示すフローチャートである。
【図７】電動ブラインドの制御動作を示すフローチャートである。
【図８】電動ブラインドの制御動作を示すフローチャートである。
【図９】電動ブラインドの制御動作を示すフローチャートである。
【発明を実施するための形態】
【００１６】
以下、この発明を具体化した一実施形態を図面に従って説明する。図１は、建物の１フロアの窓面に沿って設置された多数の電動横型ブラインドを駆動する制御システムを示す。
【００１７】
No.１〜No.１４の１４台のブラインド１は、ヘッドボックス内にそれぞれ配設されるモーターの駆動力でスラットの昇降操作及び角度調節操作を可能とした電動横型ブラインドである。各ブラインド１のヘッドボックス内には、モーターを制御するコントローラーが配設され、各ブラインド１のコントローラーは接続ケーブル２を介して互いに接続されるとともに、パソコン等の中央制御装置３に接続される。
【００１８】
また、前記ブラインド１の設置位置近傍の壁面には、４個のリモコン受信機４ａ〜４ｂが設置され、接続ケーブル５を介して最寄のブラインド１のコントローラーに接続され、そのコントローラーを介して他のブラインド１のコントローラーに接続されている。
【００１９】
前記リモコン受信機４ａ，４ｃはアドレスリモコン６ａ，６ｂから出力される赤外線信号を受信して、各ブラインド１のコントローラーに操作信号を送信可能である。また、前記リモコン受信機４ｂ，４ｄはシングルリモコン７ａ，７ｂから出力される赤外線信号を受信して、各ブラインド１のコントローラーに操作信号を送信可能である。
【００２０】
図２は、前記リモコン受信機４ａを示す。他のリモコン受信機４ｂ〜４ｄも同様な構成である。リモコン受信機４ａのケース８の表面には第一〜第三のディップスイッチ（エリア設定手段）９ａ〜９ｃが露出されるとともに、エリア設定用ボタン１０と発光ダイオード１１が設けられている。
【００２１】
前記ケース８から接続ケーブル１２を介して持出受光部１３が接続され、その持出受光部１３は前記アドレスリモコン６ａから出力される赤外線信号を受信し易い位置で壁面等に取着される。
【００２２】
図３は、前記リモコン受信機４ａの電気的構成を示す。他のリモコン受信機４ｂ〜４ｃも同様である。前記ケース８内にはマイコン（制御部）１４が収容され、そのマイコン１４には記憶素子（ＥＥＰＲＯＭ）１５が接続されている。記憶素子１５にはマイコン１４を介して入力される設定データが格納される。前記マイコン１４には、あらかじめ設定されたプログラムが格納され、そのプログラムに基づいて動作する。
【００２３】
前記マイコン１４には、赤外線受信部１６と、通信受信部１７と、通信送信部１８とが接続されている。赤外線受信部１６は、アドレスリモコン６ａ，６ｂあるいはシングルリモコン７ａ，７ｂから出力される赤外線信号を受信し、その受信信号をマイコン１４に出力する。通信受信部１７は、前記接続ケーブル５を介して前記中央制御装置３から出力される指令信号を受信してマイコン１４に出力する。通信送信部１８は、マイコン１４から出力される応答信号を前記中央制御装置３に出力する。
【００２４】
前記第一〜第三のディップスイッチ９ａ〜９ｃは、図２に示すように、それぞれ８ビットのデジタル値を設定可能とした８個ずつのスイッチＳ１〜Ｓ２４を備え、その設定値がマイコン１４に出力される。第一のディップスイッチ（第一、第二及び第三の切り替え手段）９ａは、このリモコン受信機４ａをシングルリモコンに対応する受信機とするかアドレスリモコンに対応する受信機とするかを選択する場合に使用される。また、シングルリモコンで一括して動作させるブラインドのエリアあるいはアドレスリモコンで一括して動作させるブラインドのエリアを設定する場合等に使用される。
【００２５】
前記第二のディップスイッチ９ｂは、前記エリア内のブラインド１の最小アドレスを設定する場合に使用され、前記第三のディップスイッチ９ｃは、前記エリア内のブラインド１の最大アドレスを設定する場合に使用される。第二及び第三のディップスイッチ９ｂ，９ｃは、８ビットのデジタル値を設定可能であることから、最大でNo.０〜No.２５５までの２５６通りのアドレスを設定可能である。
【００２６】
前記エリア設定用ボタン１０は、エリア設定作業を行うときに押圧され、その押圧信号がマイコン１４に出力される。また、発光ダイオード１１はエリア設定作業時にマイコン１４により点滅制御される。
【００２７】
前記マイコン１４に接続されるブザー１９は、マイコン１４の制御に基づいて、前記エリア設定用ボタン１０が押圧されたときと、前記通信送信部１８から信号を送信するときに、短いブザー音を発する。また、マイコン１４により通信異常が検出されたときには、長いブザー音を発するようになっている。
【００２８】
図４は、前記アドレスリモコン６ａ，６ｂを示す。操作面の中央部には、スラットの昇降操作及びスラットの角度調節操作を停止させる停止ボタン２０が設けられている。停止ボタン２０の上方及び下方には、スラットを引き上げ操作するための上昇ボタン２１と、スラットを下降操作するための下降ボタン２２が設けられている。
【００２９】
停止ボタン２０の左方及び右方には、スラットを全閉方向あるいは逆全閉方向に回動させるためのチルトボタン２３，２４が設けられている。
前記上昇ボタン２１の上方には、すべてのブラインド１を一括操作するための一括操作ボタン２６が設けられ、その一括操作ボタン２６の上方には４つのエリア選択ボタン２５ａ〜２５ｄが設けられている。エリア選択ボタン２５ａ〜２５ｄは、４つのエリアをあらかじめ設定する場合と、設定されたエリアのいずれか１つを選択し、当該エリア内のブラインド１を一括操作する場合に使用される。
【００３０】
前記シングルリモコン７ａ，７ｂは、図５に示すように、アドレスリモコン６ａ，６ｂの操作面からエリア選択ボタン２５ａ〜２５ｄ及び一括操作ボタン２６を省略した構成である。
【００３１】
次に、上記のようなリモコン受信機４ａ〜４ｄを備えた制御システムにおいて、リモコン受信機４ａ〜４ｃで複数のエリアを設定する場合のマイコン１４の動作を図６に従って説明する。
【００３２】
設定操作を行う際には、まず第一のディップスイッチ９ａのスイッチＳ８をオン状態に設定する。次いで、第一のディップスイッチ９ａのスイッチＳ１〜Ｓ３でエリア０〜エリア４の５つのエリアを設定する。
【００３３】
例えば、スイッチＳ１〜Ｓ３をすべてオフ状態とすれば、エリア０が設定され、スイッチＳ１だけをオン状態とすれば、エリア１が設定される。エリア０は、シングルリモコン７ａ，７ｂの操作信号に対応して一括して動作するエリアであり、エリア１〜４は前記アドレスリモコン６ａ，６ｂの前記エリア選択ボタン２５ａ〜２５ｄに対応するエリアである。
【００３４】
次いで、第二のディップスイッチ９ｂのスイッチＳ９〜Ｓ１６で、エリアの最小アドレスを設定し、第三のディップスイッチ９ｃのスイッチＳ１７〜Ｓ２４で、エリアの最大アドレスを設定する。
【００３５】
この状態で、エリア設定用ボタン１０が押圧されると、マイコン１４は第一のディップスイッチ９ａのスイッチＳ８がオン状態であることと、エリア設定用ボタン１０がオン状態であることを認識した後（ステップ１，２）、エリア設定用ボタン１０が５秒間押圧され続けているか否かを判定する（ステップ３，４）。
【００３６】
エリア設定用ボタン１０が５秒間押圧されていると、ステップ５に移行して第一のディップスイッチ９ａのスイッチＳ１〜Ｓ３で設定されたエリア番号を読み出す。次いで、第二のディップスイッチ９ｂからエリアの最小アドレスを読み出し（ステップ６）、第三のディップスイッチ９ｃからエリアの最大アドレスを読み出す（ステップ７）。
【００３７】
次いで、第一のディップスイッチ９ａのスイッチＳ８がオン状態であり、さらにエリア設定用ボタン１０が５秒間押圧されていると（ステップ８〜１１）、ステップ１２に移行して読み出されたエリア番号と当該エリアの最小アドレス及び最大アドレスを前記記憶素子１５に格納し、１つのエリアの設定動作を終了する。
【００３８】
また、ステップ８においてスイッチＳ８がオフされていると、記憶素子１５への格納処理を行わずにエリアの設定動作を終了する。
複数のエリアを設定する場合には、各エリア番号を第一のディップスイッチ９ａのスイッチＳ１〜Ｓ３で設定して、上記のような設定動作を繰り返し、設定作業が終了した後は、第一のディップスイッチ９ａのスイッチＳ８をオフ状態に復帰させる。
【００３９】
次いで、シングルリモコン７ａ，７ｂに対応させるリモコン受信機の第一のディップスイッチ９ａのスイッチＳ４をオン状態とし、アドレスリモコン６ａ，６ｂに対応させるリモコン受信機のスイッチＳ４をオフ状態とする。
【００４０】
また、各リモコン受信機４ａ〜４ｄの第一のディップスイッチ９ａのスイッチＳ５をオン状態とするとローカルモードが設定される。すると、当該リモコン受信機４ａ〜４ｄから操作信号が出力されるブラインド１のコントローラーにローカル信号が出力され、当該ブラインド１では前記中央制御装置３からの制御信号を受け付けないローカルモードが選択される。
【００４１】
一方、スイッチＳ５がオフ状態であれば、オートモードが設定される。すると、当該リモコン受信機４ａ〜４ｄから操作信号が出力されるブラインド１のコントローラーでは、中央制御装置３からの指令信号に基づいてスラットを駆動するオートモードが選択される。
【００４２】
各リモコン受信機４ａ〜４ｄの第一のディップスイッチ９ａのスイッチＳ６をオン状態とすると、アドレスリモコン６ａ，６ｂの一括操作ボタン２６が押されたとき、No.１〜No.２５５までのすべてのアドレスが選択されて、すべてのブラインド１が一括制御される。また、スイッチＳ６をオフ状態とすると、一括操作ボタン２６が押されたとき、設定されたエリアの最小アドレスから最大アドレスの範囲のブラインド１が一括制御される。
【００４３】
図１に示すリモコン受信機４ａ〜４ｄは、上記のような設定操作によりリモコン受信機４ａ，４ｃがアドレスリモコン６ａ，６ｂに対応する受信機として設定され、リモコン受信機４ｂ，４ｄがシングルリモコン７ａ，７ｂに対応する受信機として設定されている。
【００４４】
リモコン受信機４ａは、第一のディップスイッチ９ａのスイッチＳ４がオフ状態とされてアドレスリモコン６ａに対応するリモコン受信機として設定されている。また、スイッチＳ６がオフ状態に設定されて一括操作ボタン２６の操作によりNo.１〜No.２５５までのすべてのアドレスが選択され、すべてのブラインド１を一括制御可能となっている。
【００４５】
また、エリア選択ボタン２５ａでNo.１のブラインド１が選択され、エリア選択ボタン２５ｂでNo.２のブラインド１が選択され、エリア選択ボタン２５ｃでNo.３のブラインド１が選択されるように設定されている。さらに、エリア選択ボタン２５ｄでNo.４，No.５のブラインド１が選択されるように設定されている。
【００４６】
従って、アドレスリモコン６ａでエリア選択ボタン２５ａを押圧し、次いで上昇ボタン２１，下降ボタン２２、チルトボタン２３，２４のいずれかを押圧すると、No.１のブラインド１のスラットが昇降あるいは角度調節される。
【００４７】
同様に、アドレスリモコン６ａでエリア選択ボタン２５ｂを押圧すると、No.２のブラインド１を操作可能となり、エリア選択ボタン２５ｃを押圧するとNo.３のブラインド１を操作可能となる。さらに、エリア選択ボタン２５ｄを押圧すると、No.４，No.５のブラインド１を一括して操作可能となる。
【００４８】
リモコン受信機４ｂは、第一のディップスイッチ９ａのスイッチＳ４がオン状態とされてシングルリモコン７ａに対応するリモコン受信機として設定され、エリア０としてNo.６，No.７のブラインド１が選択されるように設定されている。
【００４９】
従って、シングルリモコン７ａで上昇ボタン２１，下降ボタン２２、チルトボタン２３，２４のいずれかを押圧すると、No.６，No.７のブラインド１のスラットが一括して昇降あるいは角度調節される。
【００５０】
リモコン受信機４ｃは、第一のディップスイッチ９ａのスイッチＳ４がオフ状態とされてアドレスリモコン６ｂに対応するリモコン受信機として設定されている。そして、エリア選択ボタン２５ａでNo.８のブラインド１が選択され、エリア選択ボタン２５ｂでNo.９のブラインド１が選択され、エリア選択ボタン２５ｃでNo.１０のブラインド１が選択されるように設定されている。さらに、エリア選択ボタン２５ｄでNo.１１，No.１２のブラインド１が選択されるように設定されている。
【００５１】
また、スイッチＳ６がオン状態に設定されて一括操作ボタン２６の操作によりNo.８〜No.１２までのブラインド１が選択される。
リモコン受信機４ｄは、第一のディップスイッチ９ａのスイッチＳ４がオン状態とされてシングルリモコン７ｂに対応するリモコン受信機として設定され、エリア０としてNo.１３，No.１４のブラインド１が選択されるように設定されている。
【００５２】
従って、シングルリモコン７ｂで上昇ボタン２１，下降ボタン２２、チルトボタン２３，２４のいずれかを押圧すると、No.１３，No.１４のブラインド１のスラットが一括して昇降あるいは角度調節される。
【００５３】
次に、上記のような電動ブラインドのリモコン受信機４ａ〜４ｄの動作を図７〜図９に従って説明する。
リモコン受信機４ａ〜４ｄの各マイコン１４は、その動作を開始すると第一のディップスイッチ９ａのスイッチＳ４がオンされているか否かを判別する（ステップ２１）。スイッチＳ４がオンされていると、シングルリモコンに対応するリモコン受信機として設定されていることを判別して、ステップ２２に移行する。
【００５４】
ステップ２２では、第一のディップスイッチ９ａのスイッチＳ５がオンされているか否かを判別する。スイッチＳ５がオンされていると、ローカルモードが設定されていることを判別して、ステップ２３に移行し、シングルリモコン７ａ若しくは同７ｂからの操作信号を待つ状態となる。
【００５５】
リモコン受信機４ｂでは、シングルリモコン７ａからの操作信号を待つ状態となり、シングルリモコン７ａの各上昇ボタン２１、下降ボタン２２、チルトボタン２３，２４のいずれかが押圧されると、マイコン１４は設定されたエリアの最小アドレスと最大アドレスを記憶素子１５から読み出す（ステップ２４）。リモコン受信機４ｂでは最小アドレスとしてNo.６のブラインド１のアドレスを読み出し、最大アドレスとしてNo.７のブラインド１のアドレスを読み出す。
【００５６】
次いで、マイコン１４は読み出されたアドレス信号とローカル信号をブラインド１のコントローラーに送信し（ステップ２５）、次いでシングルリモコン７ａ若しくは同７ｂから送信された操作信号をブラインド１のコントローラーに出力する（ステップ２６）。
【００５７】
すると、リモコン受信機４ｂではNo.６とNo.７のブラインド１のコントローラーに操作信号を出力し、No.６とNo.７のブラインド１では、入力された操作信号に基づいてスラットが昇降され、あるいは角度調節される。
【００５８】
ステップ２２において、第一のディップスイッチ９ａのスイッチＳ５がオフ状態であると、オートモードで動作する状態となり、中央制御装置３からの指令信号を受け付ける状態となってステップ２７に移行し、シングルリモコン７ａからの操作信号を待つ状態となる。
【００５９】
そして、シングルリモコン７ａの各上昇ボタン２１、下降ボタン２２、チルトボタン２３，２４のいずれかが押圧されると、マイコン１４は設定されたエリアの最小アドレスと最大アドレスを記憶素子１５から読み出す（ステップ２８）。リモコン受信機４ｂでは最小アドレスとしてNo.６のブラインド１のアドレスを読み出し、最大アドレスとしてNo.７のブラインド１のアドレスを読み出す。
【００６０】
次いで、マイコン１４は読み出されたアドレス信号と、シングルリモコン７ａ若しくは同７ｂから送信された操作信号をブラインド１のコントローラーに出力する（ステップ２９）。
【００６１】
すると、リモコン受信機４ｂではNo.６とNo.７のブラインド１のコントローラーに操作信号を出力し、No.６とNo.７のブラインド１では、入力された操作信号に基づいてスラットが昇降され、あるいは角度調節される。
【００６２】
このとき、中央制御装置３からの指令信号がブラインド１のコントローラーに送信されると、当該ブラインドではリモコン受信機４ｂから出力される操作信号に優先して、指令信号に基づいて動作する。
【００６３】
ステップ２１において、第一のディップスイッチ９ａがオフされていると、マイコン１４はアドレスリモコンに対応するリモコン受信機として設定されていることを判別して、図８に示すステップ３０に移行する。
【００６４】
ステップ３０では、第一のディップスイッチ９ａのスイッチＳ５がオンされているか否かを判別する。スイッチＳ５がオンされていると、ローカルモードが設定されていることを判別してステップ３１に移行し、アドレスリモコン６ａ若しくは同６ｂからのエリア選択信号を待つ状態となる。
【００６５】
次いで、アドレスリモコン６ａ若しくは同６ｂでエリア選択ボタン２５ａ〜２５ｄ及び一括操作ボタン２６のいずれかが押圧され、さらに上昇ボタン２１、下降ボタン２２、チルトボタン２３，２４のいずれかが押圧されると（ステップ３２，３３）、第一のディップスイッチ９ａのスイッチＳ６がオン状態であるか否かを判別する（ステップ３４）。そして、オフ状態であればステップ３５に移行する。
【００６６】
ステップ３５では、マイコン１４は設定されたエリアの最小アドレスと最大アドレスを記憶素子１５から読み出す。このとき、例えばリモコン受信機４ａでは最小アドレスとしてNo.１のブラインド１のアドレスを読み出し、最大アドレスとしてNo.５のブラインド５のアドレスを読み出す。
【００６７】
次いで、マイコン１４は読み出されたアドレス信号とローカル信号をブラインド１のコントローラーに送信し（ステップ３６）、次いでアドレスリモコン６ａ若しくは同６ｂから送信された操作信号をブラインド１のコントローラーに出力する（ステップ３７）。
【００６８】
すると、リモコン受信機４ａでは例えばNo.１〜No.５のブラインド１のコントローラーに操作信号を出力し、当該ブラインド１では、入力された操作信号に基づいてスラットが昇降され、あるいは角度調節される。
【００６９】
ステップ３４において、スイッチＳ６がオンされていると、ステップ３８に移行する。そして、マイコン１４はNo.１〜No.２５５までのすべてのアドレスを選択し（ステップ３８）、読み出されたアドレス信号とローカル信号をブラインド１のコントローラーに送信し（ステップ３９）、次いでアドレスリモコン６ａ若しくは同６ｂから送信された操作信号をブラインド１のコントローラーに出力する（ステップ４０）。
【００７０】
すると、リモコン受信機４ａ若しくは同４ｃではすべてのブラインド１のコントローラーに操作信号を出力し、各ブラインド１では入力された操作信号に基づいてスラットが昇降され、あるいは角度調節される。
【００７１】
ステップ３２において、アドレスリモコン６ａ若しくは同６ｂで一括操作ボタン２６が押圧されず、エリア選択信号２５ａ〜２５ｄのいずれかが押圧されるとステップ４１に移行する。
【００７２】
ステップ４１で、上昇ボタン２１、下降ボタン２２、チルトボタン２３，２４のいずれかが押圧されると、エリア選択ボタン２５ａ〜２５ｄで選択されたエリアを記憶素子１５から読み出し（ステップ４２）、読み出されたアドレス信号とローカル信号をブラインド１のコントローラーに送信し（ステップ４３）、次いでアドレスリモコン６ａ若しくは同６ｂから送信された操作信号をブラインド１のコントローラーに出力する（ステップ４４）。
【００７３】
すると、エリア選択信号２５ａ〜２５ｄで選択されたエリア内のブラインド１、例えばアドレスリモコン６ａでエリア選択ボタン２５ｄが選択されると、No.４，No.５のブラインド１に操作信号を出力され、各ブラインド１では入力された操作信号に基づいてスラットが昇降され、あるいは角度調節される。
【００７４】
また、ステップ３３，４１で上昇ボタン２１、下降ボタン２２、チルトボタン２３，２４のいずれかが５秒以上押されないと、ステップ３１に復帰して、上昇ボタン２１、下降ボタン２２、チルトボタン２３，２４の操作を待つ状態となる。
【００７５】
ステップ３０で、第一のディップスイッチ９ａのスイッチＳ５がオフ状態であると、オートモードが設定されていることを判別してステップ４６に移行する。オートモードでは各ブラインド１のコントローラーにローカル信号を出力せず、各ブラインド１では中央制御装置３からの指令信号を受け付け得る状態で、リモコン受信機４ａ，４ｃからの操作信号に基づいて動作する。
【００７６】
従って、ステップ４６〜５６の動作では、ステップ３６，３９，４３に示すローカル信号の送信動作を省略する点を除いて、上記ステップ３１〜４４の動作と同様である。
上記のように構成された電動ブラインドの制御システムでは、次に示す作用効果を得ることができる。
（１）リモコン受信機４ａ〜４ｄの第一のディップスイッチ９ａのスイッチＳ４の切り替えにより、各リモコン受信機４ａ〜４ｄをアドレスリモコン６ａ，６ｂの出力信号を受信可能する受信機とするかシングルリモコン７ａ，７ｂの出力信号を受信可能とする受信機とするかを選択することができる。従って、共通の受信機でアドレスリモコン及びシングルリモコンに対応することができるので、受信機の共通化を図り、コストを低減することができる。
（２）シングルリモコン７ａ，７ｂに対応するリモコン受信機４ｂ，４ｄでは、第一〜第三のディップスイッチ９ａ〜９ｃの切り替えにより、複数のブラインド１を一つのエリアとして設定することができる。そして、シングルリモコン７ａ，７ｂからの操作信号により、設定されたエリア内のブラインド１の動作を一括して制御することができる。従って、シングルリモコン７ａ，７ｂでは、エリア選択ボタンを操作することなく、あらかじめ設定された一つのエリア内のブラインド１を一括制御することができる。言い換えれば、１つのリモコン受信機で制御するエリアが一つだけである場合には、シングルリモコン７ａ，７ｂに対応するリモコン受信機として設定することにより、エリア選択ボタンを押圧する操作を必要とすることなく、当該エリア内のブラインド１を一括制御することができる。
（３）各リモコン受信機４ａ〜４ｄでは、第一のディップスイッチ９ａのスイッチＳ５を切り替え操作することにより、ローカルモードとオートモードを切り替えることができる。ローカルモードでは、アドレスリモコン６ａ，６ｂあるいはシングルリモコン７ａ，７ｂの操作信号に基づいてのみブラインド１の動作を制御することができる。オートモードでは、アドレスリモコン６ａ，６ｂあるいはシングルリモコン７ａ，７ｂの操作信号に優先して、中央制御装置３からの指令信号に基づいて各ブラインド１の動作を制御することができる。
（４）アドレスリモコン６ａ，６ｂに対応するリモコン受信機４ａ，４ｃでは、第一のディップスイッチ９ａのスイッチＳ６の切り替えにより、一括操作ボタン２６を押圧したときに一括制御されるブラインド１のアドレス範囲を切り替えることができる。全アドレスのブラインド１を一括して制御する場合と、各リモコン受信機４ａ，４ｃで設定される複数のエリア内のすべてのブラインド１を一括して制御する場合とを選択することができる。
（５）各リモコン受信機４ａ〜４ｄの第一〜第三のディップスイッチ９ａ〜９ｃと、エリア設定用ボタン１０と、発光ダイオード１１を使用して複数のエリアを設定することができる。従って、液晶パネル等の表示装置を用意することなく、エリア設定操作を行うことができるので、リモコン受信機のコストを低減することができる。
【００７７】
上記実施形態は、以下の態様で実施してもよい。
・第一〜第三の切り替え手段を第一のディップスイッチ９ａのスイッチＳ４〜Ｓ６で構成したが、独立した他のスイッチ手段で構成してもよい。
・上記制御装置を、電動横型ブラインドの他、電動のカーテン、ロールブラインド、たくし上げカーテン、プリーツスクリーン、シャッター、オーニング等に適用してもよい。
【符号の説明】
【００７８】
１…電動ブラインド、３…中央制御装置、４ａ〜４ｄ…リモコン受信機、６ａ，６ｂ…アドレスリモコン、７ａ，７ｂ…シングルリモコン、９ａ…第一〜第三の切り替え手段、エリア設定手段（第一のディップスイッチ）、９ｂ，９ｃ…エリア設定手段（第二のディップスイッチ、第三のディップスイッチ）、１４…マイコン（制御部）、１５…記憶素子、２５ａ〜２５ｄ…エリア選択ボタン、２６…一括操作ボタン。
【図１】
2010174498.tif 000003
【図２】
2010174498.tif 000004
【図３】
2010174498.tif 000005
【図４】
2010174498.tif 000006
【図５】
2010174498.tif 000007
【図６】
2010174498.tif 000008
【図７】
2010174498.tif 000009
【図８】
2010174498.tif 000010
【図９】
2010174498.tif 000011